(57)【要約】【課題】  ペットボトルやビンなどの容器のキャップを締めるときにキャップの回転に伴って注ぎ口器具が容器内に陥落することがなく、注ぎ口器具を取り付けたままの状態でいままでの容器のキャップをそのまま用いることができる注ぎ口器具の提供。【解決手段】  容器の注ぎ口に係止される係止部１と、この係止部１の上縁に設けられ器具が容器２０内に陥落するのを防止する脱落防止耳２と、この係止部１に固着され容器２０外部からの空気を容器２０内に繋げる空気流入管路４とを有し、この係止部１と脱落防止耳２の境界にテーパ面を有する切込３を形成する。この切込３の上部側の一端の位置Ｌは、容器２０の内周面の鉛直線上の位置Ｐよりもやや外側の位置に来るように形成する。【選択図】  図３
2008037432.tif 000002
【特許請求の範囲】
【請求項１】
容器の注ぎ口に係止される係止部と、この係止部の上縁に設けられ器具が前記容器内に脱落するのを防止する脱落防止耳と、この係止部に固着され前記容器外部からの空気を容器内に繋げる空気流入管路とを有し、前記容器の注ぎ口の開口部に取り付けられる注ぎ口器具において、
前記係止部と前記脱落防止耳の境界に所定のテーパ面を有する切込を形成したことを特徴とする注ぎ口器具。
【請求項２】
前記切込は、前記脱落防止耳側の一端の位置が前記容器の内周面の鉛直線上の位置よりも外側の位置に来るように形成されていることを特徴とする請求項１に記載の注ぎ口器具。
【発明の詳細な説明】
【技術分野】
【０００１】
本発明は、注ぎ口器具に関し、特に、ペットボトルやビンなどの容器のキャップを締めるときにキャップの回転に伴って注ぎ口器具が容器内に陥落することがなく、注ぎ口器具を取り付けたままの状態でいままでの容器のキャップをそのまま用いることができる注ぎ口器具に関する。
【背景技術】
【０００２】
ペットボトルや瓶、缶などの容器から液体を注ぐ場合、注ぎ口の太さと液体の粘度などの兼ね合いで、液体が流出する際に注ぎ口を塞いでそのため容器内が負圧になってしまい、液体の流出が一旦止まって、排出した液体と略同じ量の空気を外部から吸い込んでから流出を再開するような現象が繰り返され、液体が少しずつ断続して流れ出す、いわゆるしゃっくり現象を起こす場合がある。このような現象が発生すると、液体を注ぎ出すのに時間がかかる上、液体が飛び散ったり、はねたりし、周囲を汚すなどの現象を生じることになる。
【０００３】
このような問題を解決するため、例えば、特許文献１に示すように、ペットボトルなどの注ぎ口にストローを保持する器具を取り付けて、この器具にストローを差し込むことで空気の通り路を確保する方法が提案されている。また、例えば、特許文献２に示すように、ペットボトルやビンの注ぎ口に３ｃｍ程度の管につけた止め具を取り付ける例が報告されている。
【０００４】
しかしながら、特許文献１のストローを保持する器具を有するものでは、取り付けたストローが液体を流し始めると外れ易いという欠点がある。また、特許文献２の止め具を有するものは、ペットボトルやビンの注ぎ口からはみ出してしまうと、いままでの容器のキャップがそのまま用いることができず、注ぎ口からはみ出さないものは、止め具自身がボトルやビン内に落ち込んでしまう虞があった。
【０００５】
このため、出願人は、特許文献３に示すように、ペットボトルやビンなどの容器の注ぎ口の開口部に取り付けられる注ぎ口器具であって、前記容器の注ぎ口に係止される係止部と、この係止部の上縁に設けられ器具が前記容器内に脱落するのを防止する脱落防止耳と、前記係止部に固着され前記容器内部からの液体の流出路と前記容器外部からの空気流入路を分離する隔壁と、この隔壁の前記空気流入路側から開口を延長して容器内に繋げる空気流入管路とを有する注ぎ口器具を提案している。
【０００６】
この特許文献３に示す注ぎ口器具によれば、注ぎ口器具が容器内に脱落するのを防止する脱落防止耳と、少なくとも容器注ぎ口の内壁の半周以上で注ぎ口内壁に密着して係止する係止部と、を設けたため、ペットボトルやビンなどの容器の注ぎ口に容易に取り付けて固定することができ、容器内に陥落することがなく、取り付けた状態でいままでの容器のキャップをそのまま用いることができ、液体を容器から注ぐ際に液体の流出が滑らかで、液体の流れが途切れてしゃっくり現象を起こすことがなく、液体が周囲にとび散ったりすることを防ぐことができる。
【０００７】
【特許文献１】特開２００５−０４１５７０号公報
【特許文献２】特開２００２−２４９１３８号公報
【特許文献３】特願２００５−０６７１４６号明細書
【発明の開示】
【発明が解決しようとする課題】
【０００８】
しかしながら、特許文献３による注ぎ口器具によれば、ペットボトルやビンなどの容器の注ぎ口に容易に取り付けることができ、取り付けた状態でいままでの容器のキャップをそのまま用いることができるものの、それでもなお、以下のような問題があった。
即ち、一般に、ペットボトル等の容器のキャップには、キャップを締めたとき、容器の口部の内周に挿入され口部の内周面を圧接して容器の密閉性を高めるためのリブ状のインナーリングが設けられているが、このインナーリングの先端が、前述した脱落防止耳と係止部の境界縁部に当接し、閉栓のためのキャップの回転に伴い、この部位が押されることによって、注ぎ口器具が容器内に陥落してしまう、という問題があった。
【０００９】
したがって、本発明の目的は、ペットボトルやビンなどの容器のキャップを締めるときにキャップの回転に伴って注ぎ口器具が容器内に陥落することがなく、注ぎ口器具を取り付けたままの状態でいままでの容器のキャップをそのまま用いることができる注ぎ口器具を提供することにある。
【課題を解決するための手段】
【００１０】
本発明は、上記の目的を達成するため、容器の注ぎ口に係止される係止部と、この係止部の上縁に設けられ器具が前記容器内に脱落するのを防止する脱落防止耳と、この係止部に固着され前記容器外部からの空気を容器内に繋げる空気流入管路とを有し、前記容器の注ぎ口の開口部に取り付けられる注ぎ口器具において、前記係止部と前記脱落防止耳の境界に所定のテーパ面を有する切込を形成したことを特徴とする注ぎ口器具を提供するものである。
【００１１】
以上の構成において、前記切込は、前記脱落防止耳側の一端の位置が前記容器の内周面の鉛直線上の位置よりも外側の位置に来るように形成されていることが望ましい。
【発明の効果】
【００１２】
このように、本発明の注ぎ口器具によれば、係止部と脱落防止耳の境界に所定のテーパ面を有する切込を形成するようにしたので、ペットボトルやビンなどの容器のキャップを締めるときにキャップの回転に伴って注ぎ口器具が容器内に陥落することがなく、注ぎ口器具を取り付けたままの状態でいままでの容器のキャップをそのまま用いることができる。
【発明を実施するための最良の形態】
【００１３】
以下、添付図面を参照しながら、本発明の実施の形態に係る注ぎ口器具を詳細に説明する。
図１は、本発明の注ぎ口器具の外観図であり、図２は、本発明の注ぎ口器具をペットボトルやビンなどの容器に取り付けて液体を注ぎだしている状態を示す図である。
図１及び図２において、符号１は係止部、符号２は脱落防止耳、符号３は切込、符号４は空気流入管路、符号１０は本発明の注ぎ口器具、符号２０はペットボトルやビンなどの容器、符号２１は容器２０の注ぎ口、符号２２は容器２０の肩部である。なお、この注ぎ口器具１０は、ポリエチレン、ポリスチレン、ナイロンなどの熱可塑性プラスチックによって形成されている。
【００１４】
以上の構成において、係止部１は、容器２０の注ぎ口２１に挿入できるような縦割りの円筒形に構成されており、注ぎ口２１に挿入した際に注ぎ口２１をその円周方向に押し開くように働く弾性を有している。これにより、容器２０の注ぎ口２１の径の変動にある程度対応することができ、種々の容器２０に対する汎用性に富んでいる。この係止部１は、係止部１を注ぎ口２１に挿入した際、注ぎ口２１の内壁に少なくとも半周以上の部分で密着する長さを有する。
【００１５】
この係止部１の上縁には、脱落防止耳２が設けられている。この脱落防止耳２は、係止部１を容器２０に挿入した際に、注ぎ口２１の周囲の縁上に引っかかるようになっている。
【００１６】
この係止部１と脱落防止耳２の境界にはテーパ面を有する切込３が形成されている。この切込３の上部側の一端の位置Ｌは、図３に示すように、容器２０の内周面の鉛直線上の位置Ｐよりもやや外側（約０．１ｍｍ）の位置に来るように形成されている。このように形成したのは、後述するように、キャップ３０のインナーリング３２の先端が係止部１と脱落防止耳２の境界に当接して注ぎ口器具１を容器２０内に陥落させないようにするためのガイドとして機能させるためである。
【００１７】
また、この係止部１には、空気流入管路４が設けられている。この空気流入管路４は、容器２０の内側に沿って屈曲するように構成されており、その先端は容器２０の肩部２２の内側に達している。
【００１８】
以上のように構成される注ぎ口器具１０を、図２に示すように、容器２０内に挿入して係止部１を容器２０の注ぎ口２１に止め、容器２０をこの注ぎ口器具１０が取り付けられているほうを上になるように傾けると、空気流入管路４を通って空気が容器２０内に流れ込むと共に、容器２０内の液体が安定した状態で連続して流れ出し、いわゆるしゃっくり現象が起きることがなく、液体が周囲に飛び散ったりすることがなく、液体は滑らかに流出する。
【００１９】
図４は、注ぎ口器具１０を容器２０の注ぎ口２１に取り付けた状態で容器２０のキャップ３０を閉栓した状態を示す図である。
図に示すように、キャップ３０には、その内側に、注ぎ口２１の外周部２３に螺合するねじ部３１が形成されており、このねじ部３１と注ぎ口２１の外周部２３との螺合により、注ぎ口２１に締められるようになっている。また、キャップ３０は、注ぎ口２１の内側に挿入されるインナーリング３２を備えており、キャップ３０を注ぎ口２１に螺合して締めたとき、インナーリング３２が弾性変形により注ぎ口器具１０の係止部１の内周面を圧接
【００２０】
また、キャップ３０には、注ぎ口２１の天面に圧接するアウターリング３３とを備えられており、これらインナーリング３２、アウターリング３３がそれぞれ、注ぎ口２１の天面および係止部１の内周面を弾性変形により圧接することにより、容器２０の密閉性の向上を図っている。
【００２１】
図５（ａ）および（ｂ）は、このキャップ３０を注ぎ口２１に取り付ける状態を示す図であり、（ａ）はキャップ３０を締める前の状態を示す図、（ｂ）はキャップ３０を締め終わった状態を示す図である。
図５（ａ）に示すように、キャップ３０を容器２０の外周部２３に螺合しはじめると、キャップ３０のインナーリング３２は注ぎ口器具１０に当接するが、注ぎ口器具１０の係止部１と脱落防止耳２の境界にはテーパ面を有する切込３が形成されており、しかも、その切込３の上部側の一端の位置は、容器２０の内周面の鉛直線の位置よりもやや外側の位置に来るように形成されているため、これがインナーリング３２の先端をガイドする機能を果たし、キャップ３０の回転に伴い、係止部１の内周面に沿って弾性変形により圧接しながら下方へ移動する。そして、図５（ｂ）に示すように、キャップ３０と容器２０の螺合が完了すると、キャップ３０のアウターリング３３により注ぎ口２１の天面が圧接され、インナーリング３２によって注ぎ口器具が圧接される。これにより容器２０内が密閉状態が維持されるようになる。
【００２２】
以上述べたとおり、本発明の注ぎ口器具１０は、係止部１と脱落防止耳２の境界にテーパ面を有する切込３を形成するようにしたので、キャップを締めたとき、インナーリング３２の先端が、係止部１と脱落防止耳２の境界部に当接し、その部位が押されることによって生じていた注ぎ口器具１０の容器２０内への陥落がなくなる。それにより、注ぎ口器具１０を取り付けたままの状態でいままでの容器のキャップをそのまま用いることができるようになった。
【産業上の利用可能性】
【００２３】
本発明の注ぎ口器具はペットボトルやビンなどの容器に用いることができるので、飲料水、果汁類、液体調味料、油、塗料、液体洗剤、薬品などの容器に用いることができ、広範囲の産業分野で利用することができる。
【図面の簡単な説明】
【００２４】
【図１】本発明の実施の形態に係る注ぎ口器具の外観図である。
【図２】本発明実施の形態に係る注ぎ口器具をペットボトルやビンなどの容器に取り付けて液体を注ぎだしている状態を示す図である。
【図３】切込が形成されている位置を示すための説明図である。
【図４】注ぎ口器具を容器の注ぎに取り付けた状態で容器のキャップを閉栓した状態を示す図である。
【図５】キャップを注ぎ口に取り付ける状態を示す図であり、（ａ）はキャップを締める前の状態を示す図、（ｂ）はキャップを締め終わった状態を示す図である。
【符号の説明】
【００２５】
１    係止部
２    脱落防止耳
３    切込
４    空気流入管路
１０  注ぎ口器具
２０  容器
２１  注ぎ口
２２  肩部
２３  外周部
３０  キャップ
３１  ねじ部
３２  インナーリング
３３  アウターリング
【図１】
2008037432.tif 000003
【図２】
2008037432.tif 000004
【図３】
2008037432.tif 000005
【図４】
2008037432.tif 000006
【図５】
2008037432.tif 000007